(57)【要約】【課題】  光検出器の検出した２つの光ディスク再生信号の振幅差を削減するようにフィードバック制御する、ウォブル検出回路の自動可変利得制御部分において、個別に可変利得制御する際の個別回路同士のばらつきを削減する。【解決手段】  ウォブル検出回路において、可変利得器３及び４の出力である光ディスク再生信号１及び２の整流信号に基づいて、それぞれ一つの比較器１０、低域通過フィルタ及び制御バッファ１７を用いて可変利得器３及び４の利得制御を行う制御信号を生成する。【選択図】  図１
2005158108.tif 000002
【特許請求の範囲】
【請求項１】
光ディスクから得られる第１、第２の信号からウォブル信号を検出するウォブル検出回路において、
前記第１の信号の振幅を変化しうる第１の可変利得器と、
前記第２の信号の振幅を変化しうる第２の可変利得器と、
前記第１の可変利得器の出力信号を整流する第１の整流器と、
前記第２の可変利得器の出力信号を整流する第２の整流器と、
前記第１、第２の整流器で整流された信号を演算比較する比較器と、
前記比較器により比較演算された交流成分を積分して直流成分とする低域通過フィルタと、
前記低域通過フィルタから出力される直流成分を第１の基準電圧と比較して前記第１、第２の可変利得器の出力信号の振幅を等しくするように制御する制御バッファとを備えた
ことを特徴とするウォブル検出回路。
【請求項２】
請求項１記載のウォブル検出回路において、
前記第１の可変利得器の出力信号の振幅を前記第２の可変利得器の出力信号に等しくするように補正する第１の振幅補正器と、
前記第２の可変利得器の出力信号の振幅を前記第１の可変利得器の出力信号に等しくするように補正する第２の振幅補正器と、
前記第１、第２の振幅補正器によって振幅を補正された信号を引き算する引算器を備えた
ことを特徴とするウォブル検出回路。
【請求項３】
光ディスクから得られる第１、第２の信号からウォブル信号を検出するウォブル検出回路において、
前記第１の信号の振幅を変化しうる第１の可変利得器と、
前記第２の信号の振幅を変化しうる第２の可変利得器と、
前記第１の可変利得器の出力信号と前記第２の可変利得器の出力信号とを引き算する引算器と、
前記引算器の出力信号からジッター量を検出するジッター検出器と、
前記ジッター検出器の出力信号と基準電圧とを比較演算する比較器と、
前記比較器により比較演算された交流成分を積分して直流成分とする低域通過フィルタと、
前記低域通過フィルタから出力される直流成分を第２の基準電圧と比較して前記第１、第２の可変利得器の出力信号の振幅を等しくするように制御する制御バッファとを備えた
ことを特徴とするウォブル検出回路。
【発明の詳細な説明】
【技術分野】
【０００１】
本発明は、光学的に情報が読み書き可能な光ディスクに対する情報記録再生技術に関するものであり、特に光ディスクの情報記録面上にランド部とグルーブ部とが交互に形成されたトラックを蛇行（ウォブル）させることによりトラックの位置情報を得る光ディスク及びその記録又は再生装置において、光ディスク再生信号からウォブル信号を検出する回路に関する。
【背景技術】
【０００２】
従来、光ディスク再生信号からウォブル信号を検出するウォブル検出回路については特許文献１に開示されている。
【０００３】
図４は従来の一般的なウォブル検出回路図の一例である。図４において、３及び４は、光ディスクに照射した光の反射光に基づいて光検出器から得られる２つの光ディスク再生信号１及び２の振幅を変化させ、出力することができる可変利得器、１３及び１４は可変利得器３及び４で可変出力された光ディスク再生信号を整流する整流器、１０及び１１は整流器１３及び１４の出力をそれぞれ基準電圧１２と比較演算する比較器、７及び８は比較器１０及び１１により比較演算された交流成分を積分して直流成分とするＬＰＦ、５及び６はＬＰＦ７及び８から出力される直流成分を基準電圧９と比較して、可変利得器３及び４のそれぞれの出力振幅が等しくなるように制御する制御バッファ、１５は一方の可変利得器３で可変出力された光ディスク再生信号と他方の可変利得器４で可変出力された光ディスク再生信号とを引算する引算器である。可変利得器３と整流器１３と比較器１０とＬＰＦ７と制御バッファ５とは光ディスク再生信号１の振幅を光ディスク再生信号２の振幅に等しくなるように制御する自動利得制御器２３を構成している。また、可変利得器４と整流器１４と比較器１１とＬＰＦ８と制御バッファ６とは光ディスク再生信号２の振幅を光ディスク再生信号１の振幅に等しくなるように制御する自動利得制御器２４を構成している。
【０００４】
光ピックアップの光学系にずれが生じている場合や、光ディスクに偏心がある場合には、光検出器の出力したそれぞれの光ディスク再生信号１及び２に振幅差が生じる。この振幅差をなくす目的で自動利得制御器２３及び２４は基準電圧９及び１２を基準に自動利得制御を行い、光ディスク再生信号１及び２を可変利得器３及び４によりそれぞれ任意の等しい振幅に揃えて、引算器１５における引き算によりＲＦ成分を相殺してウォブル信号１６を検出している。
【特許文献１】特開平９−７３６３６号公報
【発明の開示】
【発明が解決しようとする課題】
【０００５】
従来では、ランド部とグルーブ部とが交互に形成されたトラックを蛇行させることにより、トラックの位置情報を得る光ディスクに使用する情報記録再生技術において、光ピックアップの光学系にずれを生じている場合や、光ディスクに偏心がある場合に、光検出器の出力した各系統の光ディスク再生信号に振幅差が生じても、自動利得制御器２３及び２４は振幅差を無くすように機能し、光ディスク再生信号からウォブル信号を検出していた。
【０００６】
しかしながら、より精度良くウォブル信号を検出したい場合に問題が生じる。自動利得制御器２３を構成している可変利得器３と整流器１３と比較器１０とＬＰＦ７と制御バッファ５と、自動利得制御器２４を構成している可変利得器４と整流器１４と比較器１１とＬＰＦ８と制御バッファ６とはそれぞれ基準電圧９及び１２を基準として同じ自動利得制御を行う作用を有するが、これら自動利得制御器２３及び２４を構成する共通の回路には個別に固有のばらつきが存在する。即ち、自動利得制御器２３及び２４が独立に振幅制御するので、それらの構成回路間の有するばらつきにより、可変利得器３及び４の振幅差が無視できなくなる。光ディスク再生信号からウォブル信号を検出する場合に、引算器１５で引算する光ディスク再生信号の振幅の差分が引算器１５からの出力後においてウォブル信号に残留するＲＦ信号となって現れる。この残留するＲＦ信号がノイズとなり検出したウォブル信号のＣ／Ｎを悪化させ、正確なトラックの位置情報が得られないという課題があった。
【０００７】
本発明は上記従来の課題を解決するものであり、その目的は、自動利得制御器２３及び２４を構成する各回路が個別、即ち独立に作用することから生じる各回路間のばらつきの影響を軽減し、より精度良くウォブル信号を検出することによりＣ／Ｎを改善できるウォブル検出回路を提供することにある。
【課題を解決するための手段】
【０００８】
上記問題を解決するために、本発明では、光検出器の出力した２系統の光ディスク再生信号の振幅の大きさを揃えるための自動可変利得制御器において、各系統の信号の振幅を比較する振幅比較器、振幅比較器の出力信号を積分する低域通過フィルタ、及び、低域通過フィルタの出力信号に基づいて可変利得器を制御する制御信号を出力する制御バッファをそれぞれ一つの回路により処理する。
【０００９】
すなわち、請求項1記載の発明のウォブル検出回路は、光ディスクから得られる第１、第２の信号からウォブル信号を検出するウォブル検出回路において、前記第１の信号の振幅を変化しうる第１の可変利得器と、前記第２の信号の振幅を変化しうる第２の可変利得器と、前記第１の可変利得器の出力信号を整流する第１の整流器と、前記第２の可変利得器の出力信号を整流する第２の整流器と、前記第１、第２の整流器で整流された信号を演算比較する比較器と、前記比較器により比較演算された交流成分を積分して直流成分とする低域通過フィルタと、前記低域通過フィルタから出力される直流成分を基準電圧と比較して前記第１、第２の可変利得器の出力信号の振幅を等しくするように制御する制御バッファとを備えたことを特徴とする。
【００１０】
また、請求項２記載の発明は、請求項１記載のウォブル検出回路において、前記第１の可変利得器の出力信号の振幅を前記第２の可変利得器の出力信号に等しくするように補正する第１の振幅補正器と、前記第２の可変利得器の出力信号の振幅を前記第１の可変利得器の出力信号に等しくするように補正する第２の振幅補正器と、前記第１、第２の振幅補正器によって振幅を補正された信号を引き算する引算器を備えたことを特徴とする。
【００１１】
更に、請求項３記載の発明のウォブル検出回路は、光ディスクから得られる第１、第２の信号からウォブル信号を検出するウォブル検出回路において、前記第１の信号の振幅を変化しうる第１の可変利得器と、前記第２の信号の振幅を変化しうる第２の可変利得器と、前記第１の可変利得器の出力信号と前記第２の可変利得器の出力信号とを引き算する引算器と、前記引算器の出力信号からジッター量を検出するジッター検出器と、前記ジッター検出器の出力信号と基準電圧とを比較演算する比較器と、前記比較器により比較演算された交流成分を積分して直流成分とする低域通過フィルタと、前記低域通過フィルタから出力される直流成分を基準電圧と比較して前記第１、第２の可変利得器の出力信号の振幅を等しくするように制御する制御バッファとを備えたことを特徴とする。
【００１２】
以上により、請求項１及び２記載の発明では、光検出器から検出される２系統の光ディスク再生信号に対して、それぞれの振幅の大きさを自動的に等しくする自動可変利得制御器において、整流後の処理、即ち、各系統の整流信号を比較演算する比較器、比較演算された結果を積分して直流化する低域通過フィルタ、及び、低域通過フィルタの出力信号に基づいて２つの可変利得器を制御する為の制御信号を生成する制御バッファをそれぞれ一つの回路により処理するので、個別に処理する場合に比べて、回路間のばらつきに起因する誤差成分を低減することができ、これにより、２つの可変利得器の出力を精度良く得ることが可能となる。
【００１３】
また、請求項３記載の発明では、２つの可変利得器の出力差の情報を、引き算回路及びジッター検出器を介することにより得て、その得られた情報を所定の基準電圧と比較する比較器、比較演算された結果を積分して直流化する低域通過フィルタ、及び、低域通過フィルタの出力信号に基づいて２つの可変利得器を制御する為の制御信号を生成する制御バッファをそれぞれ１つの回路により処理するので、個別に処理する場合に比べて、回路間のばらつきに起因する誤差成分を低減することができ、これにより、２つの可変利得器の出力を精度良く得ることが可能となる。
【発明の効果】
【００１４】
以上説明したように、請求項１及び２記載の発明によれば、２系統の信号の振幅の大きさを等しくなるように制御する自動可変利得制御器を構成する比較器、低域通過フィルタ、及び、制御バッファをそれぞれ一の回路により処理を行う構成としたので、従来の各系統の信号に対する個別処理の構成に比較して各回路間のばらつきの影響が軽減され、精度良いウォブル信号を検出可能となりＣ／Ｎの改善を実現できる。
【００１５】
特に、請求項２記載の発明によれば、自動利得制御器が整流器を共有していないために生じてしまう一方の可変利得器から出力される光ディスク再生信号の振幅と、他方の可変利得器から出力される光ディスク再生信号の振幅との微小な差分を振幅補正器で補正することにより、更に精度良いウォブル信号を検出可能となりＣ／Ｎの改善を実現できる。
また、請求項３記載の発明によれば、ジッター検出器を備え、引算器の出力で得られたウォブル信号に残留するＲＦ信号が無くなるように比較器へフィードバックし、可変利得器の利得を制御することにより、更に精度良いウォブル信号を検出可能となりＣ／Ｎの改善を実現できる。
【発明を実施するための最良の形態】
【００１６】
以下本発明の実施の形態について、図面を参照しながら説明する。
【００１７】
（第１の実施の形態）
図１は第１の実施の形態におけるウォブル検出回路の構成を示すものである。図１において、３及び４は光ディスクに照射した光の反射光に基づいて光検出器から得られる２つの光ディスク再生信号１及び２の振幅をそれぞれ可変出力する可変利得器（第１及び第２の可変利得器）、１３及び１４は可変利得器３及び４で可変出力された光ディスク再生信号１及び２をそれぞれ整流する整流器（第１及び第２の整流器）、１０は一方の整流器１３の出力と他方の整流器１４の出力とを比較演算する比較器、７は比較器１０により比較演算された交流成分を積分して直流成分とするＬＰＦ（低域通過フィルタ）、１７はＬＰＦ７から出力される直流成分を基準電圧（第１の基準電圧）９と比較して可変利得器３及び４を制御する制御バッファ、１５は一方の可変利得器３で可変出力された光ディスク再生信号と他方の可変利得器４で可変出力された光ディスク再生信号とを引算してウォブル信号１６を出力する引算器である。可変利得器３及び４、整流器１３及び１４、比較器１０、ＬＰＦ７、及び、制御バッファ１７は自動利得制御器を構成しており、一方の整流器１３の出力と他方の整流器１４の出力とで比較演算を行い、制御バッファ１７は一方の可変利得器３と他方の可変利得器４とをそれぞれ逆制御、即ち、一方の利得を上げるときには他方の利得を下げる作用を有する。この作用により、一方の可変利得器３で可変出力された光ディスク再生信号１の振幅と他方の可変利得器４で可変された光ディスク再生信号２の振幅とを等しくなるように制御をする。
【００１８】
以上のように構成された本実施の形態におけるウォブル検出回路について、以下に、光検出器の出力した光ディスク再生信号１及び２からウォブル信号１６を検出するまでの光ディスク再生信号の信号処理について、図５に示した波形図を用いて説明する。なお、本実施の形態では、光ピックアップの光学系にずれを生じている場合や、光ディスクに偏心がある場合を仮定し、光検出器の出力したそれぞれの光ディスク再生信号１及び２に振幅差が生じている状態について説明する。
【００１９】
図５において、（ａ）は光検出器の出力した光ディスク再生信号１、（ｂ）は光検出器の出力した光ディスク再生信号２を示し、ここでＡ及びＣは（ａ）、（ｂ）の光ディスク再生信号１及び２に含まれるウォブル信号、また、Ｂ及びＤは（ａ）、（ｂ）の光ディスク再生信号１及び２に含まれるＲＦ信号、（ｃ）は利得制御が行われ可変利得器３から出力された後の光ディスク再生信号１、（ｄ）は利得制御が行われ可変利得器４から出力された後の光ディスク再生信号２、（ｅ）は引算器の引き算によりＲＦ信号を相殺して得られたウォブル信号１６である。（ａ）の光ディスク再生信号１と（ｂ）の光ディスク再生信号２とに含まれるウォブル信号Ａ及びＣとＲＦ信号Ｂ及びＤとの位相関係はそれぞれ次の関係にある。即ち、（ａ）の光ディスク再生信号１と（ｂ）の光ディスク再生信号２とに含まれるそれぞれのウォブル信号Ａ及びＣの位相差は１８０°、また、（ａ）の光ディスク再生信号１と（ｂ）の光ディスク再生信号２とに含まれるそれぞれのＲＦ信号Ｂ及びＤの位相差は０°である。
【００２０】
本実施の形態における自動利得制御器は、（ａ）の光ディスク再生信号１と（ｂ）の光ディスク再生信号２とを一方の可変利得器３と他方の可変利得器４とでそれぞれを逆制御する。即ち、一方の利得を上げるときには他方の利得を下げる利得制御を行い、可変利得器３及び４から出力される（ｃ）及び（ｄ）の光ディスク再生信号１及び２が等しい振幅となるまで制御が繰り返される。なお、可変利得器３及び４から出力される（ｃ）及び（ｄ）の光ディスク再生信号１及び２に含まれるウォブル信号及びＲＦ信号の位相関係は、それぞれ、（ａ）及び（ｂ）の光ディスク再生信号１及び２の時と変わらない。よって利得制御された（ｃ）及び（ｄ）の光ディスク再生信号１及び２は、振幅が等しく位相差が０°のＲＦ信号を引算器１５で引算することにより除去可能となる。一方、利得制御された光ディスク再生信号（ｃ）及び（ｄ）に含まれるウォブル信号は位相差が１８０°であるので引算器１５で引算しても除去されずに検出される。
【００２１】
以上のように第１の実施の形態によれば、（ｅ）に示すような、ＲＦ信号の残留しないＣ／Ｎの良好なウォブル信号が得られる。
【００２２】
なお、本実施の形態では自動利得制御器において、比較器１０により比較演算された交流成分を積分して直流成分とするＬＰＦ７の代わりに自動利得制御情報を出力する検波用コンデンサを備えたチャージポンプとしてもよい。
【００２３】
（第２の実施の形態）
次に、本発明の第２の実施の形態を説明する。
【００２４】
図２は本実施の形態におけるウォブル検出回路の構成を示すものである。尚、以降の実施の形態においては、第１の実施の形態において図１に示したのと同様の構成については説明を省略し、図中、同一符号を用いるものとする。
【００２５】
本実施の形態では、引き算器１５の直前に振幅補正器１９及び２０（第１及び第２の振幅補正器）を設けて、可変利得器３及び４の出力である光ディスク再生信号１及び２の振幅を微調整（補正）している構成において、第１の実施の形態と異なる。
【００２６】
以上のように構成された第２の実施の形態におけるウォブル検出回路について以下に、光検出器の出力した光ディスク再生信号１及び２からウォブル信号１６を検出するまでの光ディスク再生信号の信号処理について、図６に示した波形図を用いて説明する。なお、光ピックアップの光学系にずれを生じている場合や、光ディスクに偏心がある場合を仮定し、光検出器の出力したそれぞれの光ディスク再生信号１及び２に振幅差が生じていると状態として説明する。
【００２７】
図６において、（ａ）は光検出器の出力した光ディスク再生信号１、（ｂ）は光検出器の出力した光ディスク再生信号２を示し、（ａ）及び（ｂ）のＡ、Ｃは光ディスク再生信号１及び２に含まれるウォブル信号、また、（ａ）及び（ｂ）のＢ、Ｄは光ディスク再生信号１及び２に含まれるＲＦ信号、（ｆ）は利得制御が行われ可変利得器３から出力される光ディスク再生信号１、（ｇ）は利得制御が行われ可変利得器４から出力される光ディスク再生信号２、（ｈ）は可変利得器３から出力される光ディスク再生信号１の振幅を振幅補正器１９で微調整した後の光ディスク再生信号１、（ｉ）は可変利得器４から出力される光ディスク再生信号２の振幅を振幅補正器２０で微調整した後の光ディスク再生信号２、（ｅ）は引算器でＲＦ信号を引算して得られたウォブル信号１６である。（ａ）の光ディスク再生信号１と（ｂ）の光ディスク再生信号２とに含まれるウォブル信号Ａ、Ｃ及びＲＦ信号Ｂ、Ｄの位相関係はそれぞれ次の関係にある。即ち、（ａ）の光ディスク再生信号１と（ｂ）の光ディスク再生信号２とに含まれるウォブル信号Ａ、Ｃの位相差は１８０°、また、（ａ）の光ディスク再生信号１と（ｂ）の光ディスク再生信号２とに含まれるＲＦ信号Ｂ、Ｄの位相差は０°である。
【００２８】
本実施の形態における自動利得制御器は、（ａ）の光ディスク再生信号１と（ｂ）の光ディスク再生信号２とを一方の可変利得器３と他方の可変利得器４とでそれぞれ逆制御する。即ち、一方の利得を上げるときには他方の利得を下げる利得制御を行うが、整流器１３及び１４を共有せず個別に信号処理するために整流器１３及び１４には個別に固有のばらつきが存在し、（ｆ）及び（ｇ）の光ディスク再生信号１及び２の振幅には微小な差が生じる。
【００２９】
そこで、本実施の形態では、一方の可変利得器３から出力される（ｆ）の光ディスク再生信号１の振幅と、他方の可変利得器４から出力される（ｇ）の光ディスク再生信号２の振幅とを振幅補正器１９及び２０で互いに補正することにより、微小な差分を取り除き、振幅の等しい（ｈ）及び（ｉ）の光ディスク再生信号１及び２を出力する。なお、（ｈ）及び（ｉ）の光ディスク再生信号１及び２に含まれるウォブル信号及びＲＦ信号の位相関係は（ａ）及び（ｂ）の光ディスク再生信号１及び２の時と変わらない。よって、振幅補正器１９及び２０で振幅を微調整された（ｈ）及び（ｉ）の光ディスク再生信号１及び２は、振幅が等しく位相差が０°のＲＦ信号を引算器１５で引算することにより除去できる。一方、振幅補正器１９及び２０で振幅を微調整された（ｈ）及び（ｉ）の光ディスク再生信号１及び２に含まれるウォブル信号は位相差が１８０°のために引算器１５で引算しても除去されずに検出される。
【００３０】
以上のように第２の実施の形態によれば、振幅補正器１９及び２０を備えることにより第１の実施の形態におけるウォブル検出回路より精度良く除去可能となり、（ｅ）に示すように、ＲＦ信号の残留しないＣ／Ｎの良好なウォブル信号が得られる。
【００３１】
なお、本実施の形態では自動利得制御器において、比較器１０により比較演算された交流成分を積分して直流成分とするＬＰＦ７の代わりに自動利得制御情報を出力する検波用コンデンサを備えたチャージポンプとしてもよい。
【００３２】
（第３の実施の形態）
次に、本発明の第３の実施の形態を説明する。
【００３３】
図３は第３の実施の形態におけるウォブル検出回路の構成を示すものである。
【００３４】
第１の実施の形態では、２つの光ディスク再生信号１及び２の振幅差の情報をそれぞれ整流器１３及び１４から得て、それらを比較器１０により比較演算した結果を用いて、可変利得器３及び４を制御する制御信号を生成していたが、本実施の形態では、引き算器１５の出力したウォブル信号１６のジッター量をジッター検出器２２で検出することにより２つの光ディスク再生信号１及び２の振幅差の情報を得て、その検出結果と所定の基準電圧２１（第２の基準電圧）とを比較器１０において比較演算した結果を用いて、可変利得器３及び４を制御する制御信号を生成する構成において異なる。
【００３５】
以上のように構成された第３の実施の形態におけるウォブル検出回路について以下に、光検出器の出力した光ディスク再生信号１及び２からウォブル信号１６を検出するまでの光ディスク再生信号の信号処理について、図７に示した波形図を用いて説明する。なお、光ピックアップの光学系にずれを生じている場合や、光ディスクに偏心がある場合を仮定し、光検出器の出力したそれぞれの光ディスク再生信号１及び２に振幅差が生じている状態として説明する。
【００３６】
図７において、（ａ）は光検出器の出力した光ディスク再生信号１、（ｂ）は光検出器の出力した光ディスク再生信号２を示し、（ａ）及び（ｂ）のＡ及びＣは光ディスク再生信号１及び２に含まれるウォブル信号、また、（ａ）及び（ｂ）のＢ及びＤは光ディスク再生信号１及び２に含まれるＲＦ信号、（ｊ）はジッター検出器２２の検出情報を示し、可変利得器３及び４がフィードバック制御される前の初期状態におけるウォブル信号１６を示すものであり、引算器１５から出力されるＲＦ信号の残留を含んでいる。（ｋ）はＲＦ信号の残留を含む（ｊ）のウォブル信号１６をジッター検出器２２によりジッターを検出した２値化信号、（ｅ）はジッター検出器２２によりジッターを検出した２値化信号（ｋ）をもとに可変利得器３及び４を制御して残留するＲＦ信号を除去した後のウォブル信号１６である。（ａ）の光ディスク再生信号１と（ｂ）の光ディスク再生信号２に含まれるウォブル信号Ａ及びＣとＲＦ信号Ｂ及びＤの位相関係はそれぞれ次の関係にある。即ち、（ａ）の光ディスク再生信号１と（ｂ）の光ディスク再生信号２とに含まれるウォブル信号Ａ及びＣの位相差は１８０°、また、（ａ）及び（ｂ）の光ディスク再生信号１と光ディスク再生信号２とに含まれるＲＦ信号Ｂ及びＤの位相差は０°である。ジッター検出器２２の検出情報に基づいて可変利得器３及び４がフィードバック制御されていない初期状態において、可変利得器３及び４から出力される光ディスク再生信号１及び２に含まれるＲＦ信号の位相差は、光検出器の出力した（ａ）及び（ｂ）の光ディスク再生信号１及び２のＲＦ信号Ｂ及びＤと同じ位相差０°である。しかし、初期状態において可変利得器３及び４から出力される光ディスク再生信号１及び２の振幅は異なっているので引算器１５の出力においてはＲＦ信号が残留する（ｊ）のウォブル信号１６となる。そこで、本実施の形態では、引算器１５において引算して得られたＲＦ信号の残留する（ｊ）のウォブル信号１６に基づいてジッター検出器２２によりジッター検出を行い、（ｋ）の２値化信号が検出されて、（ｊ）のウォブル信号１６からＲＦ信号が除去される、即ち、ジッターが発生しないようにジッター検出器２２の出力に基づいて、以降の比較器１０、低域通過フィルタ７、及び、制御バッファ１７により可変利得器３及び４の利得を制御してＲＦ信号の残留しない（ｅ）のウォブル信号１６を得る。ただし、ウォブル信号１６にＲＦ信号が残留しなければ、２値化信号にジッターは発生しない。
【００３７】
以上のように第３の実施の形態によれば、引算器１５から出力されるウォブル信号をもとにジッター検出を行い、比較器１０へフィードバックすることにより、残留していたＲＦ信号は第２の実施の形態におけるウォブル検出回路より除去することが可能となり、ＲＦ信号の残留しないＣ／Ｎの良好な（ｅ）ウォブル信号１６が得られる。
【００３８】
なお、本実施の形態ではジッター検出器２２でジッター検出を行い比較器１０へフィードバックする構成において、比較器１０により比較演算された交流成分を積分して直流成分とするＬＰＦ７の代わりに制御情報を出力する検波用コンデンサを備えたチャージポンプとしてもよい。
【産業上の利用可能性】
【００３９】
本発明にかかるウォブル検出回路は、精度良くウォブル信号を検出することによりＣ／Ｎの改善ができる効果を有し、光学的に情報が読み書き可能な光ディスクに対する情報記録再生技術分野、特に、光ディスクの情報記録面上にランド部とグルーブ部とが交互に形成されたトラックをウォブルさせることによりトラックの位置情報を得る光ディスク及びその記録又は再生装置において、光ディスク再生信号からウォブル信号を検出する回路等において有用である。
【図面の簡単な説明】
【００４０】
【図１】本発明の第１の実施形態におけるウォブル検出回路の構成図である。
【図２】本発明の第２の実施形態におけるウォブル検出回路の構成図である。
【図３】本発明の第３の実施形態におけるウォブル検出回路の構成図である。
【図４】従来のウォブル検出回路の構成図である。
【図５】第１の実施の形態における光ディスク再生信号からウォブル信号を検出するまでの光ディスク再生信号の波形図である。
【図６】第２の実施の形態における光ディスク再生信号からウォブル信号を検出するまでの光ディスク再生信号の波形図である。
【図７】第３の実施の形態における光ディスク再生信号からウォブル信号を検出するまでの光ディスク再生信号の波形図である。
【符号の説明】
【００４１】
３，４            可変利得器
５，６，１７      制御バッファ
７，８            ＬＰＦ（低域通過フィルタ）
９                第１の基準電圧
２１              第２の基準電圧
１０，１１        比較器
１３，１４        整流器
１５              引算器
１９、２０        振幅補正器
２３，２４        自動利得制御器
【図１】
2005158108.tif 000003
【図２】
2005158108.tif 000004
【図３】
2005158108.tif 000005
【図４】
2005158108.tif 000006
【図５】
2005158108.tif 000007
【図６】
2005158108.tif 000008
【図７】
2005158108.tif 000009